(57)【要約】【課題】  一般的なパンツは機能的だが通気性やおしゃれ感が不足し、ビキニやセクシー系は時として卑猥感を与えることもあり、部屋着としての着用に制限が多い。【解決手段】  パンツ正面の約４分の３を覆うサイズのふんどし風前垂（１）を作成し、マジックテープ（２）等でパンツ腰ゴム帯（３）に付着させて一体使用する。パンツはメッシュ部分（４）、（５）、（６）で広く通気性を確保して涼感を得る。中央部分はビキニ形ふくらみ（７）でしっかり収めて上品なセクシー感を出す。全体的には快適性、機能性、セクシー性を併有するボクサーブリーフ型の斬新なパンツとする。ふんどし風前垂（１）は腰ゴム帯型のパンツには、ほとんどマジックテープ（２）で着脱可能。更に、ふんどし風前垂（１）の表面（８）に多様なデザインを施すことにより、ファッション下着として部屋着使いができる。気分により取り替えて、おしゃれが楽しめて、男女両方に対応できる斬新な下着である。【選択図】図２
2019039128.tif 000002
【特許請求の範囲】
【請求項１】
ふんどし風前垂つき涼感男性用パンツとしての形態と使用方法。
ふんどし風前垂（１）を作成し、その裏面（９）の最上部（１０）にマジックテープ（２）を設け、パンツの正面腰ゴム帯（３）に付着させて自在に着脱可能な状態で一体使用する形態。パンツは、正面（４）背面（５）脚口面（６）にメッシュ部分を多く設けて、通気性と涼感を高め、正面中央部分はビキニ形ふくらみ（７）で、しっかり収めてセクシー感を出す。以上の形態でパンツをセクシー感ある涼感下着として一体使用する方法。
【請求項２】
ふんどし風前垂（１）の表面（８）にカラフルで多様なデザイン、絵、文字、キャラクター、写真転写、人の名前等の印刷を施して、ファッション性を加味して、男性と女性共に使用できるファッション下着の形態。
【請求項３】
縫製時にパンツとふんどし風前垂（１）を結合した状態で製造して以下の形態で使用する方法。
（イ）ふんどし風前垂（１）の形やサイズを一定程度小さくして、ズボン着用時や睡眠時の不具合を解消する。
（ロ）パンツ前面の男性器対応部分をカットして窓あき解放とするような、成人向下着とする。
【発明の詳細な説明】
【技術分野】
【０００１】  この発明は、ふんどし風前垂をパンツの正面腰ゴム帯に付着させて一体使用するもので自在に着脱可能な形態と方法に関するものである。
【背景技術】
【０００２】  従来のパンツはトランクス型、ボクサー型、ビキニ型、セクシー系型、ふんどし型、成人向等多種多様にあるが、それ単体として使用するのみで、かつそれぞれに長短がある。
【発明の概要】
【発明が解決しようとする課題】
【０００４】  これまでは以下のような課題や要望があった。
（イ）機能性を重視したパンツは、色彩や柄に工夫を凝らしているものの、デザインやおしゃれ感に斬新性が欠ける。
（ロ）ボクサー型、ブリーフ型パンツは、安定的に男性器を収めるものの、通気性に欠け、陰茎と陰のうがべったりと接着して蒸れや痒みを感じることが多い。
（ハ）トランクス型は中央部分の通気性は良好であるが、男性器の収まりの安定感が低く、脚口がよれやすいので男性器がこすれて痛みを感じることがある。
（ニ）ビキニ型やセクシー系型のパンツは、独特の感情の興奮性や気分の高揚性があるものの、他者に対して卑猥感を与える場合も多く、常時部屋着として使用するには制限がある。
（ホ）ふんどし型は高齢者への贈り物、部屋着として遊び感や涼感を体感できるものの日常生活での着用は機能的に難点があり、年齢面や着用時間、場所に制限が多い。
【課題を解決するための手段】
【０００５】  パンツ正面の約４分の３を覆うサイズの、ふんどし風前垂（１）を作成し、マジックテープ（２）でパンツ腰ゴム帯（３）に、固定させて、パンツと一体的に使用する。パンツはメッシュ部分（４）、（５）、（６）を多く設けて通気性、涼感を高め、中央部分はビキニ形状のふくらみ（７）でしっかり収めて、上品なセクシー感を出す。全体的には快適性、機能性、セクシー性を併有するボクサータイプの斬新なパンツとする。ふんどし風前垂（１）はマジックテープ（２）を設けるなどの方法で、従来の各種タイプのパンツと自在に着脱可能とする。そして着脱可能なふんどし風前垂（１）はその表面（８）に多様なデザイン等を施すことにより、一体的使用でファッション下着としておしゃれを楽しむことができ、ルームウェアーとして普通に着用ができる。これはサイズ、形を変えて女性用パンツにも対応できる。
【発明の効果】
【０００６】  従来のパンツに比較して本発明は以下の効果がある。
（イ）従来の快適性や機能性に加えて、一体使用によりファッションやおしゃれを楽しむことができるパンツとなる。
（ロ）ふんどし風前垂を取り外しても、パンツ単体として機能的に使用できる。
（ハ）メッシュ部分が多いため快適な通気性が向上し男性器の蒸れの解消と、ストレスフリーな安定感ある着心地を得ることができる。
（ニ）ふんどし風前垂の表面にカラフルなデザイン、絵、文字、キャラクター等を施すことができるので、着せ替え感覚でおしゃれを楽しむことができる。
（ホ）睡眠時や洗濯時には取り外しができるので、長期間日常品として実用的に継続使用できる。
（ヘ）セクシー型系のパンツにふんどし風前垂を装着すれば高揚的に気分転換ができ、部屋着としても着用が可能。
（ト）ふんどし風前垂は女性用パンツにも装着可能であり、サイズや形を変えれば、ルームウェアーとして十分に利用できる。
【図面の簡単な説明】
【０００７】
【図１】  全体の右側面図である。
【図２】  全体の斜視図である。
【図３】  パンツの斜視図である。
【図４】  ふんどし風前垂の裏面図である。
【図５】  全体の正面図である。
【図６】  全体の背面図である。
【発明を実施するための形態】
【０００８】  パンツの正面部分の４分の３程度を覆うふんどし風前垂（１）を作成しふんどし風前垂（１）の裏面（９）の最上部（１０）の両端と中央に、２センチ程度の正方形のマジックテープ（２）を設けて、パンツの腰ゴム帯（３）に付着、固定させてパンツとして安定的に一体使用する。パンツについては、中央正面部分はビキニ形ふくらみ（７）でセクシー感を強調し、伸縮力に富み肌に優しい構造で男性器をしっかり収めてフィット感あるふくらみとする。パンツ正面中央部のビキニ形ふくらみ（７）の両サイドに接して通気性の高いメッシュ部分（４）を設ける。更に全体的に涼感を高めるために、背面部の３分の１にメッシュ部分（５）を設ける。活動的な機能性を高めるために、両サイドの脚口に大きなさんかくカットのメッシュ部分（６）を設ける。一般に腰ゴム帯のパンツは多く流通している上に、このパンツはマジックテープの受け面機能がほとんどあるため、パンツとふんどし風前垂（１）の安定的着用と自在な着脱が可能である。ふんどし風前垂（１）の表面（８）にカラフルで多様なデザインを施して、斬新なファッション性を加える。
【符号の説明】
【０００９】  １  ふんどし風前垂
２  マジックテープ
３  腰ゴム帯
４  正面のメッシュ部分
５  背面のメッシュ部分
６  脚口のメッシュ部分
７  ビキニ形ふくらみ
８  ふんどし風前垂の表面
９  ふんどし風前垂の裏面
１０  ふんどし風前垂の裏面最上部
【図１】
2019039128.tif 000003
【図２】
2019039128.tif 000004
【図３】
2019039128.tif 000005
【図４】
2019039128.tif 000006
【図５】
2019039128.tif 000007
【図６】
2019039128.tif 000008